(57)【要約】【課題】効率良く厨芥を乾燥させることを目的とする。【解決手段】内容器１１に形成される小孔１１ｃから生ゴミＧの水分が外容器１２へ排出され、内容器１１の回転中は生ゴミＧの落下の勢いにより脱水が促進される。このように脱水された生ゴミＧに残っている水分の一部は、内ヒータ１４により加熱されて蒸発し、ファン４３により凝縮部２０へ送られて凝縮し排水部３０へ排出される。この凝縮部２０で乾燥した気体をノズル１８ｂから生ゴミＧに吹き付けることにより乾燥が促進される。しかも、生ゴミＧは、内容器１１の回転により持ち上げられてから落下する際にばらばらになるため、ノズル１８ｂからの乾燥した気体と十分に当たって早く乾燥する。【選択図】　図１
2004066143.tif 000002
【特許請求の範囲】
【請求項１】
生ゴミ等の厨芥を収納する収納部と、該厨芥を加熱する加熱手段と、該収納部と連通され該厨芥から発生した水蒸気を含む気体を冷却する凝縮部と、該凝縮部で凝縮した水を外部に排水する排水部と、該凝縮部で冷却された気体を該収納部に強制的に送り返す返還手段とを備えた厨芥処理機において、
上記収納部を、上記厨芥を収納した状態で回転可能な内容器と、該内容器を収納する外容器とからなる二重構造とし、
上記内容器の周壁を水を通過させる構造とすると共に、該内容器の回転軸を傾斜させた状態で回転させる回転駆動手段を設け、
上記収納部に、上記傾いた内容器内で回転しながら落下する厨芥に上記凝縮部からの気体を当てる流入口を形成したことを特徴とする厨芥処理機。
【請求項２】
上記外容器の最下端に脱水用排水口を形成すると共に、上記排水部に、一定量の水が溜まるトラップを形成し、
上記脱水用排水口と上記トラップの貯水部とを連通する脱水用排水路を設けたことを特徴とする請求項１記載の厨芥処理機。
【請求項３】
上記内容器の開口部を上記外容器の開口部と同一方向に形成すると共に、該外容器の開口部に開閉可能な蓋部を設け、
上記蓋部に、上記外容器内の気体を上記凝縮部へ送る流出口と、上記流入口とを備え、該流入口の開口面積を該流出口よりも小さくしたことを特徴とする請求項１または２記載の厨芥処理機。
【請求項４】
上記流出口にフィルターを装着したことを特徴とする請求項３記載の厨芥処理機。
【請求項５】
上記内容器の内周壁に撹拌用突出部を設けたことを特徴とする請求項１〜４の何れかに記載の厨芥処理機。
【発明の詳細な説明】
【０００１】
【発明の属する技術分野】
本発明は生ゴミ等の厨芥を乾燥処理する厨芥処理機に関する。
【０００２】
【従来の技術】
従来から、生ゴミ等の厨芥を乾燥状態にして腐敗しないようにすると共に、処理中に発生する臭い成分を脱臭処理するといった厨芥処理機が知られている。一般にこのような厨芥処理機は、厨芥を加熱して発生した水蒸気を脱臭して排出する構成となっている。
【０００３】
生ゴミは主にキッチンで発生することから、厨芥処理機を室内に設置すると使い勝手がよいが、臭気の漏れ、水蒸気の排出による湿度上昇、熱源による温度上昇といった室内環境を悪化させる要因が多く、室内設置が困難であった。
この不具合を解決した厨芥処理機が特開平１１−１６９８２１号に公開されている。この厨芥処理機は、加熱部に厨芥を投入して加熱し、厨芥に含まれる水分を蒸発させ、加熱部と連通される凝縮部で気体を冷却して凝縮させ、水蒸気の含有量が少なくなった気体をファンにより強制的に循環路を介して加熱部へ送り返すことにより、厨芥に含まれる水分を効率良く蒸発させて乾燥処理し、しかも、厨芥から発生した臭気を凝縮水と共に下水管等の外部に排水して、室内で使用可能としている。
【０００４】
【発明が解決しようとする課題】
しかしながら、こうした厨芥処理機では、厨芥を外表面から徐々に乾燥させていくため、加熱乾燥初期では効率よく乾燥するものの、乾燥が進むに従って、乾燥した周りの厨芥が断熱材となってしまい、厨芥の中心まで十分な乾燥が困難であった。
この結果、乾燥時間が長くなり、乾燥コストが高くなっていた。
本発明の厨芥処理機は上記課題を解決し、効率良く厨芥を乾燥させることを目的とする。
【０００５】
【課題を解決するための手段】
上記課題を解決する本発明の請求項１記載の厨芥処理機は、
生ゴミ等の厨芥を収納する収納部と、該厨芥を加熱する加熱手段と、該収納部と連通され該厨芥から発生した水蒸気を含む気体を冷却する凝縮部と、該凝縮部で凝縮した水を外部に排水する排水部と、該凝縮部で冷却された気体を該収納部に強制的に送り返す返還手段とを備えた厨芥処理機において、
上記収納部を、上記厨芥を収納した状態で回転可能な内容器と、該内容器を収納する外容器とからなる二重構造とし、
上記内容器の周壁を水を通過させる構造とすると共に、該内容器の回転軸を傾斜させた状態で回転させる回転駆動手段を設け、
上記収納部に、上記傾いた内容器内で回転しながら落下する厨芥に上記凝縮部からの気体を当てる流入口を形成したことを要旨とする。
【０００６】
また、本発明の請求項２記載の厨芥処理機は、上記請求項１記載の厨芥処理機において、
上記外容器の最下端に脱水用排水口を形成すると共に、上記排水部に、一定量の水が溜まるトラップを形成し、
上記脱水用排水口と上記トラップの貯水部とを連通する脱水用排水路を設けたことを要旨とする。
【０００７】
また、本発明の請求項３記載の厨芥処理機は、上記請求項１または２記載の厨芥処理機において、
上記内容器の開口部を上記外容器の開口部と同一方向に形成すると共に、該外容器の開口部に開閉可能な蓋部を設け、
上記蓋部に、上記外容器内の気体を上記凝縮部へ送る流出口と、上記流入口とを備え、該流入口の開口面積を該流出口よりも小さくしたことを要旨とする。
【０００８】
また、本発明の請求項４記載の厨芥処理機は、上記請求項３記載の厨芥処理機において、
上記流出口にフィルターを装着したことを要旨とする。
【０００９】
また、本発明の請求項５記載の厨芥処理機は、上記請求項１〜４の何れかに記載の厨芥処理機において、
上記内容器の内周壁に撹拌用突出部を設けたことを要旨とする。
【００１０】
上記構成を有する本発明の請求項１記載の厨芥処理機は、内容器を回転させる前においても厨芥の水分は自重によりある程度内容器から外容器へ排出され、回転中は上方へ移動した厨芥が落下する際の勢いにより一層脱水される。
このようにある程度脱水された後の厨芥に残っている水分は、更に加熱手段により加熱されて蒸発し、返還手段により凝縮部へ送られて凝縮し排水部より排水される。凝縮部で乾燥した気体は、流入口から収納部内へ戻って厨芥に当てられる。
厨芥は、内容器の回転により持ち上げられ、ばらばらになって落下する際に、乾燥した気体と十分に接触して早く乾燥する。このサイクルを繰り返して効率の良い乾燥が行われる。
【００１１】
また、本発明の請求項２記載の厨芥処理機は、外容器からの水を排水部を用いて排水できる。この場合、排水部のトラップを凝縮部からの排水用と脱水用排水路からの排水用との両方に用いることができる。つまり、排水部のトラップを用いて、下水管等の外部からの臭気が脱水用排水路を通って外容器へ侵入することを防止できる。
しかも、脱水用排水路がトラップの貯水部に接続されているため、凝縮部と脱水用排水路との連通路が貯水部の水で遮断される。この結果、凝縮部からの気体が、脱水用排水路を通って外容器（内容器の外部）へ流れることなく、全ての気体が内容器内で落下する厨芥に向かって当てられ、厨芥の乾燥に利用される。
【００１２】
また、本発明の請求項３記載の厨芥処理機は、厨芥と対向する蓋部に開口面積の小さい流入口が設けられており、この流入口から乾燥した気体を厨芥に向けて高速で吹き付けて乾燥させる。
しかも、流入口が流出口よりも狭いため、流入口の上流側と下流側との圧力差が維持される。つまり、収納部が低圧状態に維持される。この結果、沸点が低下して低い温度で水分を蒸発させることが可能となり、また臭気が外部に漏れにくくなる。
【００１３】
また、本発明の請求項４記載の厨芥処理機は、凝縮部へ送られる気体が流出口のフィルターを通過するため、厨芥から発生した粉塵が凝縮部の熱交換面に付着することが防止でき、凝縮効率を長期間良好に維持できる。
更に、流出口の開口面積は流入口よりも大きいため、流路抵抗を小さく維持したままフィルターの面積を大きく確保できる。この結果、収納部内の圧力上昇を抑制でき、しかも、フィルター詰まりが起きにくくなる。
【００１４】
また、本発明の請求項５記載の厨芥処理機は、撹拌用突出部が多くの厨芥を捕らえて持ち上げてから落下させ、乾燥した気体との接触を増やす。
【００１５】
【発明の実施の形態】
以上説明した本発明の構成・作用を一層明らかにするために、以下本発明の厨芥処理機の好適な実施形態について説明する。
【００１６】
本発明の一実施形態としての厨芥処理機について図１〜図３を用いて説明する。尚、図２は、図３に示す厨芥処理機の加熱部を切断線Ａ−Ａ’で切断した図である。厨芥処理機は、キッチンキャビネット内に配置される。
この厨芥処理機は大別して、図１に示すように、生ゴミＧを電気ヒータ（以下、内ヒータ１４と呼ぶ）で加熱する加熱部１０と、生ゴミＧから発生した水蒸気を凝縮させる凝縮部２０と、凝縮部２０と下水管１（キッチンのシンクの排水管でも構わない）とを連通する流路の遮断および排水を行う遮断排水部３０（排水部）と、凝縮部２０で冷却した気体を再び加熱部１０に送り返す返還部４０と、加熱，送風等を制御するコントローラ（図示略）とからなる。
【００１７】
凝縮部２０は、フィンチューブ２１を備えており、フィンチューブ２１内の気体を外側の空気との熱交換により冷却し、気体内に含まれる水分を凝縮させる。
遮断排水部３０は、Ｓ字形状のトラップ３１と、後述の脱水用排水路３５とにより構成され、このトラップ３１には、フィンチューブ２１からの水を下方に流す下り流路３２と、下り流路３２から一旦上る上り流路３３と、上り流路３３から再び下り下水管１に連通する排水流路３４とが形成される。符号３１ａは、トラップ３１内の水を一定量溜める貯水部であり、上り流路３３と排水流路３４との接続部の下端となる貯水上端部ｃより下側部分を指す。
【００１８】
返還部４０は、加熱部１０と凝縮部２０のフィンチューブ２１の上端とを連通する送気管４１と、フィンチューブ２１の下端と加熱部１０とを連通する返還管４２と、送気管４１に設けられ加熱部１０内の気体を吸引してフィンチューブ２１へ送った後で再び加熱部１０に送り返すファン４３と、返還管４２を加熱するための返還管用電気ヒータ（以下、外ヒータ４４と呼ぶ）とを備える。
尚、送気管４１，返還管４２の加熱部１０側には、蛇腹部４１ａ，４２ａがそれぞれ形成される。
【００１９】
加熱部１０は、図２，図３に示すように、生ゴミＧ（図３では図示略）を収納する内容器１１と、所定間隔をあけた状態で内容器１１を収納する外容器１２とからなる二重構造をした収納部１３を備える。
内容器１１および外容器１２は、上面にそれぞれ開口部１１ｅ，１２ｅを形成したステンレス製の有底円筒を水平方向から角度θ（ここでは３０度）傾斜させて設けられる。この内容器１１の開口部１１ｅは、外容器１２の開口部１２ｅと同一方向に形成される。
【００２０】
内容器１１は、周壁部１１ａおよび底面部１１ｂに水が通過可能な大きさの小孔１１ｃを多数形成したパンチングメタル（金属網でも構わない）で構成される。この周壁部１１ａには、中心軸に向かって延びた長方形状の平坦な撹拌羽根１１ｄ（撹拌用突出部）が多数設けられる。
【００２１】
外容器１２の周壁部１２ａの上部には、生ゴミＧを加熱乾燥する内ヒータ１４（加熱手段）が外容器１２の内周面上を蛇行して設けられる。
一方、外容器１２の周壁部１２ａの下部には、前後左右に４個の凹部１２ｃが形成され、各凹部１２ｃ内で回転するローラー１５がそれぞれ設けられる。
外容器１２の外側には、モータ１７（回転駆動手段）が設けられ、４個あるローラー１５のうちの１個（ここでは、右後方のローラー１５ａ）のみ回転駆動する。
内容器１１は、この４個のローラー１５によって支持され、モータ１７により回転駆動されるローラー１５ａにより、傾斜した中心軸を回転軸としてゆっくり回転するよう構成される。
【００２２】
また、外容器１２の開口部１２ｅには、内容器１１を出し入れするために開閉する蓋１８が設けられ、外容器１２の周壁部１２ａに固定される蝶つがい１８ｄによって開閉自在となる。この蓋１８は、送気管４１に接続される流出口１８ａと、返還管４２に接続されるノズル１８ｂ（流入口）とを備える。このノズル１８ｂは、内容器１１の回転軸近傍に配置され、流出口１８ａより小さい開口面積を有する。また、流出口１８ａには、フィルター１８ｃが装着される。
【００２３】
外容器１２の底面部１２ｂには、最下端位置に脱水用排水口１２ｄが形成され、図１に示すように、この脱水用排水口１２ｄと遮断排水部３０の貯水部３１ａ（ここでは下り流路３２の下部となる位置ｂ）とを接続する脱水用排水路３５が設けられる。
尚、符号ａは、下り流路３２と上り流路３３との接続部の上端を示す。また、位置ｂは、位置ａよりも高く貯水上端部ｃよりも低い。
【００２４】
次に、この厨芥処理機の動作について説明する。
先ず、蓋１８を開けて生ゴミＧが投入された内容器１１を外容器１２に収納すると、或いは、外容器１２内の内容器１１へ生ゴミＧが投入されると、生ゴミＧに含まれる水は、自重により内容器１１の小孔１１ｃを通過して外容器１２へ排出され、傾斜した外容器１２の周壁部１２ａを伝って脱水用排水口１２ｄまで流れ落ち、脱水用排水路３５を通ってトラップ３１に溜まる。
【００２５】
そして、乾燥処理の開始操作により、モータ１７および内ヒータ１４を作動させる。
モータ１７がローラー１５ａ（図２，図３）を回転駆動させ、それに当接している内容器１１も回転する。尚、この内容器１１の回転により他のローラー１５も回転するため、内容器１１はその位置を保ったままスムーズに回転する。
内容器１１の回転中は、撹拌羽根１１ｄにより生ゴミＧが持ち上げられては落下することを繰り返す。生ゴミＧが落下時に内容器１１の内周面と衝突して、生ゴミＧが更に脱水される。
【００２６】
また、生ゴミＧは、内ヒータ１４により加熱されて、その水分が蒸発する。トラップ３１の水が水位ａに達していない状態では、外容器１２およびフィンチューブ２１内に存在していた空気が水蒸気の発生により下水管１側に押し出される。
【００２７】
一方、内ヒータ１４による加熱開始から所定時間が経過すると、返還部４０のファン４３および外ヒータ４４（加熱手段）を作動させる。外容器１２内の水蒸気を多く含んだ気体は、流出口１８ａのフィルター１８ｃを通って凝縮部２０に流れてフィンチューブ２１を通る際に冷却される。この際、フィンチューブ２１に送られた気体は冷却されるため、気体に含まれる水蒸気が凝縮して水となりトラップ３１に流れ落ちる。
そして、水蒸気の含有量が少なくなった気体は、返還管４２内を流れる際に外ヒータ４４によって高温に加熱され低湿度となって外容器１２に送り返されて、内容器１１内で落下中の生ゴミＧに向かってノズル１８ｂから噴射される。
【００２８】
生ゴミＧは、内容器１１内で回転しながら落下する際にばらばらになるため、乾燥した気体との接触面積が増え、水分の蒸発を促進できる。
また、フィンチューブ２１を通過した直後の気体は、その相対湿度は１００％近くとなるが、外ヒータ４４により温度が上昇して水蒸気の飽和量が増加するため、気体に含まれる水蒸気量自体は変わらないものの相対湿度が大きく低下する。この低湿度でかつ高温の気体によって生ゴミＧの乾燥が促進される。
【００２９】
凝縮部２０で凝縮してトラップ３１に流れ落ちた水は、下り流路３２から上り流路３３に繋がるＵ字部分に溜まっていき、溜まった水が水位ａまで上昇することで、下り流路３２から上り流路３３への気体流路を遮断する。この結果、外容器１２およびフィンチューブ２１を含む空間が外部に対して密閉状態となる。
更に、水位ｂまで水が溜まると、下り流路３２から脱水用排水路３５への気体流路も遮断するようになる。
【００３０】
このようにして、トラップ３１には、フィンチューブ２１や脱水用排水管３５から流れ落ちる水が溜まっていくが、上り流路３３の水が水位ｃを越えた分は排水流路３４を介して下水管１に流れるため、水が増え続けることがなく水位が安定する。
また、下り流路３２と上り流路３３との水の水位差は、密閉空間内と下水管１内との圧力差により決まるため、密閉空間内の圧力が負圧値となっている状態では水位ｃより高い水位ｄで安定する。一方、脱水用排水路３５および外容器１２が返還管４２よりも低圧であるため、脱水用排水路３５内の水は、下り流路３２の水位ｄより高い水位ｅで安定する。
そして、生ゴミＧから発生した臭い成分の殆どはトラップ３１に溜まった水に溶け込み下水管１に排水される。しかも、トラップ３１により密閉空間内の圧力が自然に調整される。
【００３１】
こうしたトラップ３１により水封された密閉空間内は、運転開始時に存在していた空気の一部を下水管１側に押し出した状態となっているため、気体内の水蒸気の含有率が増える。更に、外容器１２で与える熱量よりもフィンチューブ２１で奪う熱量を大きくして、発生した水蒸気を確実に凝縮させて水分として排出することで、密閉空間内全体を若干の負圧状態にすることができる。
加えて、返還管４２のノズル１８ｂの開口面積が小さいため、ノズル１８ｂにより、気体循環路におけるファン４３の上流側（外容器１２等の低圧側）と下流側（返還管４２等の高圧側）との圧力差を維持できる。一方、流出口１８ａは、ノズル１８ｂより開口面積が大きく、内部にフィルター１８ｃが装着されても流路抵抗がノズル１８ｂよりも小さいため、流出口１８ａでの圧力損失が小さく、外容器１２内の圧力がファン４３の入口圧力と同程度の低圧を維持できる。
このように外容器１２内が若干の負圧となるため、沸点が低下して低温で水分を蒸発させることが可能となると共に、臭気や水蒸気が蓋１８との隙間から漏れることはなく、生ゴミＧからの水蒸気を凝縮して臭気と共に排水して臭気漏れや湿度上昇を防止でき、キッチンの室内環境を悪化させない。
【００３２】
また、外容器１２から凝縮部２０へ送られる気体に、生ゴミＧから発生した粉塵が含まれていても、フィルター１８ｃで集塵するため粉塵がフィンチューブ２１の内周面に付着しない。この結果、熱交換が妨げられることがなく、良好に凝縮が行われて、循環する気体内の水分を効率良く除去できる。
加えて、流出口１８ａの開口面積が大きいため、通過抵抗を小さく維持したままフィルター１８ｃの表面積を大きく確保できる。この結果、流出口１８ａによる外容器１２内の圧力上昇を抑制すると共に、フィルター１８ｃの目詰まりが起きにくくなり、長期に渡って厨芥処理機を効率良く使用できる。
【００３３】
また、ノズル１８ｂの開口面積が小さいために返還管４２の流路抵抗が脱水用排水路３５よりも大きくなるが、脱水用排水路３５がトラップ３１の貯水部３１ａと連通しているため、貯水部３１ａに溜まった水により気体流路が遮断されており、凝縮部２１を通って乾燥した気体を全て内容器１１内に送り込み、生ゴミＧに確実に当てることができ、乾燥が促進される。
更に、脱水用排水路３５と下り流路３２とを貯水部３１ａの水で遮断する構成であるため、凝縮部２１を通った気体が返還管４２と脱水用排水路３５とに分れてしまうことがなく、つまり、脱水用排水路３５に逆流して外容器１２と内容器１１との間の空間に送られることがない。従って、凝縮部２１からの気体を全て内容器１１内の生ゴミＧに直接吹き付けることができ、効率良く生ゴミＧを乾燥処理できる。
【００３４】
加えて、１つのトラップ３１で凝縮部２０からの排水と脱水用排水路３５からの排水とを兼用するため、廉価に製造できると共に省スペースとなってコンパクト化できる。しかも、１つのトラップ３１だけで、下水管１から脱水用排水路３５および凝縮部２１への臭気の逆流を防止できる。
【００３５】
上述した厨芥処理機によれば、乾燥開始操作前からある程度生ゴミＧを脱水でき、更に内ヒータ１４による加熱中は、内容器１１の回転によって生ゴミＧが落下する勢いで脱水が促進されると共に、加熱により生ゴミＧ内の水蒸気が蒸発する。また、生ゴミＧは、内容器１１の回転により持ち上げられてから落下する際にばらばらになるため、乾燥した気体と十分に接触する。
このように脱水と蒸発とを組み合わせ、しかも、乾燥した気体を生ゴミＧに満遍なく当てるため、効率良く乾燥できる。この結果、乾燥時間が短縮され、更に加熱のための電気代を低く抑えることができ経済的である。
【００３６】
更に、内容器１１の回転に伴って生ゴミＧが撹拌されて、生ゴミＧの乾燥部分と未乾燥部分とがよく混ざり合うため、未乾燥部分の水分が乾燥部分へ広がって短時間で全体的に乾燥させることができる。
また、ノズル１８ｂは、生ゴミＧと対向した蓋１８に備えられているため、乾燥した気体を直接生ゴミＧに吹き付けることができる。しかも、その開口面積が小さいため噴射力が強く、乾燥した気体を奥の方の生ゴミＧにまで当てることができる。
【００３７】
以上本発明の実施例について説明したが、本発明はこうした実施例に何等限定されるものではなく、本発明の要旨を逸脱しない範囲において、種々なる態様で実施し得ることは勿論である。
例えば、内ヒータ１４に代えて、例えば、ガスバーナやマイクロ波等により生ゴミＧを加熱する構成であってもよい。
また、内ヒータ１４を備えず、外ヒータ４４で加熱した熱風により生ゴミＧの水分を蒸発させる構成であってもよい。
外ヒータ４４は必ずしも備えなくてもよい。この場合においては、凝縮部２１からの気体が外容器１２内で温度上昇して乾燥空気となるため、生ゴミＧの乾燥処理を安価に行うことができる。
【００３８】
また、凝縮部２０は自然冷却に限らず、例えば、外部からファンにより送風して冷却する構成であってもよいし、キッチンのシンクからの水により冷却する構成であってもよい。
また、内容器１１の内周壁に設けられる撹拌用突出部は、撹拌羽根１１ｄのような平坦な板に限らず、ねじれた板であっても構わないし、円錐形状の突起であっても構わず、生ゴミＧを引掛けて内容器１１下部から上部に持ち上げるようなものであれば形状は限定されない。
【００３９】
【発明の効果】
以上詳述したように、本発明の請求項１の厨芥処理機によれば、厨芥を脱水すると共に、厨芥を回転させてばらばらにした状態で、乾燥した気体を満遍なく当てるため、効率良く厨芥を乾燥できる。この結果、乾燥時間が早くなり、しかも、必要加熱量が減って省エネとなる。
【００４０】
更に、本発明の請求項２の厨芥処理機によれば、脱水用排水路がトラップの貯水部と連通しているため、凝縮水用の排水部のトラップと兼用して製造コストを低く抑えることができると共に、省スペースとなってコンパクト化を図ることができる。しかも、脱水用排水路の下端が水で遮断されて、凝縮部を通った気体を全て内容器の内部に送って厨芥に確実に当てて乾燥させることができる。
【００４１】
更に、本発明の請求項３の厨芥処理機によれば、厨芥と対向する蓋部に開口面積の小さい流入口を設けたため、乾燥した気体を厨芥に向けて吹き付けることができ乾燥を促進できる。また、流入口により外容器内を負圧に維持して厨芥の水分を蒸発しやすくするため、一層効率良く乾燥できる。
【００４２】
更に、本発明の請求項４の厨芥処理機によれば、開口面積の大きい流出口にフィルターを装着するため、フィルターの目詰まりを抑制でき、しかも、流出口で収納部内の圧力上昇を抑制して蒸発しやすくすると共に、厨芥からの粉塵による凝縮部の熱交換面の付着を防止して効率良く凝縮させることができ、乾燥時間を一層短縮できる。
【００４３】
更に、本発明の請求項５の厨芥処理機によれば、撹拌用突出部で多くの厨芥を持ち上げるため、乾燥した気体と接触する厨芥の量を増加でき、短時間で乾燥できる。
【図面の簡単な説明】
【図１】一実施形態としての厨芥処理機を側面から見た概略断面図である。
【図２】一実施形態としての厨芥処理機のＡ−Ａ’断面図である。
【図３】一実施形態としての厨芥処理機の加熱部を側面から見た概略断面図である。
【符号の説明】
１０…加熱部、１１…内容器、１１ａ…周壁部、１１ｃ…小孔、１１ｄ…撹拌羽根、１１ｅ…開口部、１２…外容器、１２ｄ…脱水用排水口、１２ｅ…開口部、１３…収納部、１４…内ヒータ、１７…モータ、１８…蓋、１８ａ…流出口、１８ｂ…ノズル、１８ｃ…フィルター、２０…凝縮部、３０…遮断排水部、３１…トラップ、３１ａ…貯水部、３５…脱水用排水路、４０…返還部、４３…ファン、４４…外ヒータ、Ｇ…生ゴミ。
【図１】
2004066143.tif 000003
【図２】
2004066143.tif 000004
【図３】
2004066143.tif 000005